(57)【要約】【課題】ＵＳＢデバイスへの給電に際して安全性を高めることが可能な半導体装置を提供する。【解決手段】半導体装置は、ＵＳＢコネクタと接続されるＵＳＢデバイスに供給する出力電圧を生成する第１の電源回路と、第１の電源回路で生成される出力電圧の供給経路の状態を判断する異常検出回路と、異常検出回路の判断結果に基づいて第１の電源回路からＵＳＢデバイスへの出力電圧の供給を制御する制御回路とを備える。【選択図】図４
2017187933.tif 000002
【特許請求の範囲】
【請求項１】
ＵＳＢコネクタと接続されるＵＳＢデバイスに供給する出力電圧を生成する第１の電源回路と、
前記第１の電源回路で生成される出力電圧の供給経路の状態を判断する異常検出回路と、
前記異常検出回路の判断結果に基づいて前記第１の電源回路から前記ＵＳＢデバイスへの前記出力電圧の供給を制御する制御回路とを備える、半導体装置。
【請求項２】
前記制御回路は、前記異常検出回路の判断結果として異常を検出した場合には、前記第１の電源回路から前記ＵＳＢデバイスへの出力電圧の供給を停止する、請求項１記載の半導体装置。
【請求項３】
前記異常検出回路は、テスト電圧を印加した場合に前記供給経路に流れる電流あるいは電圧の状態に基づいて前記供給経路の状態を判断する、請求項１記載の半導体装置。
【請求項４】
前記テスト電圧は、通常時に前記ＵＳＢデバイスに供給する出力電圧以下に設定される、請求項３記載の半導体装置。
【請求項５】
前記第１の電源回路は、指示に従って前記テスト電圧を生成する、請求項３記載の半導体装置。
【請求項６】
前記異常検出回路の判断結果として異常を検出した場合には異常を通知する通知回路をさらに備える、請求項１記載の半導体装置。
【請求項７】
前記第１の電源回路は、前記制御回路からの指示に従って前記出力電圧の電圧レベルを可変に設定可能である、請求項１記載の半導体装置。
【請求項８】
前記第１の電源回路は、ケーブルを介して前記ＵＳＢデバイスと接続され、
前記ケーブル内に設けられた装置に対して電圧を供給するための第２の電源回路をさらに備え、
前記異常検出回路は、前記第２の電源回路から供給される電圧の供給経路の状態をさらに判断する、請求項１記載の半導体装置。
【請求項９】
ＵＳＢコネクタと接続されるＵＳＢデバイスに供給する出力電圧を生成するステップと、
生成される出力電圧の供給経路の状態を判断するステップと、
判断結果に基づいて前記ＵＳＢデバイスに供給する前記出力電圧の供給を停止するステップとを備える、半導体装置の制御方法。
【請求項１０】
ＵＳＢコネクタと、
前記ＵＳＢコネクタと接続されるＵＳＢデバイスに供給する出力電圧を生成する第１の電源回路と、
前記第１の電源回路で生成される出力電圧の供給経路の状態を判断する異常検出回路と、
前記異常検出回路の判断結果に基づいて前記第１の電源回路から前記ＵＳＢデバイスへの前記出力電圧の供給を制御する制御回路とを備える、給電システム。
【発明の詳細な説明】
【技術分野】
【０００１】
本開示は、ＵＳＢ（Universal Serial Bus）デバイスに電圧を供給する半導体装置、半導体装置の制御方法および給電システムに関する。
【背景技術】
【０００２】
近年、パーソナルコンピュータやスマートフォン、タブレット端末等の多くの電子機器は、ＵＳＢ（Universal Serial Bus）インターフェースを備えている。これらの電子機器は、ＵＳＢインターフェースを介して、他の電子機器とデータ通信を行うことができるとともに、他の電子機器から電力の供給を受けることができる。
【０００３】
この点で、特開２０１２−１２３６７３号公報（特許文献１）においては、ＵＳＢデバイスに対して電力を供給する構成が示されている。
【先行技術文献】
【特許文献】
【０００４】
【特許文献１】特開２０１２−１２３６７３公報
【発明の概要】
【発明が解決しようとする課題】
【０００５】
一方で、従来のＵＳＢデバイスに対して供給される出力電圧は固定電圧（一例として５Ｖ）であった。
【０００６】
しかしながら、機器毎に要求される電力は異なるため給電側の出力電圧も固定ではなく可変にする必要があり給電の際の安全性を高める必要がある。
【０００７】
例えば、ＵＳＢコネクタの変形や異物混入により短絡経路が生じた場合には、加熱溶断や発火の危険性も考えられる。
【０００８】
本開示は、上記の課題を解決するためのものであって、ＵＳＢデバイスへの給電に際して安全性を高めることが可能な半導体装置、半導体装置の制御方法および給電システムを提供することを目的とする。
【０００９】
その他の課題と新規な特徴は、本明細書の記述および添付図面から明らかになるであろう。
【課題を解決するための手段】
【００１０】
一実施例によれば、半導体装置は、ＵＳＢコネクタと接続されるＵＳＢデバイスに供給する出力電圧を生成する第１の電源回路と、第１の電源回路で生成される出力電圧の供給経路の状態を判断する異常検出回路と、異常検出回路の判断結果に基づいて第１の電源回路からＵＳＢデバイスへの出力電圧の供給を制御する制御回路とを備える。
【発明の効果】
【００１１】
一実施例によれば、ＵＳＢデバイスへの給電に際して安全性を高めることが可能である。
【図面の簡単な説明】
【００１２】
【図１】実施形態１に基づく給電システム１００の構成について説明する図である。
【図２】実施形態１に基づく給電システム１００に用いられるＵＳＢケーブル３０の構成を示す図である。
【図３】実施形態１に基づく給電システム１００の接続配線の構成について説明する図である。
【図４】実施形態１に基づくコントローラ５０の機能構成について説明する図である。
【図５】実施形態１に基づくホスト１０の制御について説明するフロー図である。
【図６】実施形態２に基づく給電システム１００に用いられるＵＳＢケーブル３０Ａの構成の一例を示す図である。
【図７】実施形態２に基づく給電システム１００の接続配線の構成について説明する図である。
【発明を実施するための形態】
【００１３】
実施形態について図面を参照しながら詳細に説明する。なお、図中同一または相当部分には同一符号を付し、その説明は繰り返さない。
（実施形態１）
＜Ａ．構成＞
＜ａ１．給電システム１００の構成＞
図１は、実施形態１に基づく給電システム１００の構成について説明する図である。
【００１４】
図１を参照して、給電システム１００は、ホスト１０と、ＵＳＢデバイス２０と、ＵＳＢケーブル３０とを有する。
【００１５】
ホスト１０は、コネクタ１１を備えており、ＵＳＢデバイス２０は、コネクタ２１を備えている。
【００１６】
ＵＳＢケーブル３０の両端には、それぞれプラグ３１、３２が設けられている。プラグ３１がコネクタ１１に挿入され、プラグ３２はコネクタ２１に挿入される。これによりホスト１０とＵＳＢデバイス２０とはＵＳＢケーブル３０を介して接続される。
【００１７】
ＵＳＢデバイス２０は、ＵＳＢケーブル３０を介して、ホスト１０とデータ通信を行うことができるとともに、ホスト１０から電力の供給を受けることができる。ＵＳＢケーブル３０は、一例としてＵＳＢ  Ｔｙｐｅ−Ｃケーブルを利用することが可能である。
【００１８】
本例においては、ホスト１０がソース側デバイス（電源電圧供給側デバイス）であり、ＵＳＢデバイス２０がシンク側デバイス（電源電圧受給側デバイス）である。
【００１９】
＜ａ２．ＵＳＢケーブル３０の構成＞
図２は、実施形態１に基づく給電システム１００に用いられるＵＳＢケーブル３０の構成を示す図である。
【００２０】
図２を参照して、ＵＳＢケーブル３０は、ポートコンフィギュレーション配線３３、電源配線３４、データ配線３５および接地配線３６を有している。
【００２１】
ポートコンフィギュレーション配線３３は、１つ又は１チャネルのサイドバンド信号線である、コンフィギュレーションチャネル線ＣＣ（以下、ＣＣ線とする）を含む。ＣＣ線は、ソース側デバイスとシンク側デバイス間における通信を行なうために用いられる設定配線である。
【００２２】
電源配線３４は、１つ以上の配線からなる。電源配線３４は、電源線ＶＢＵＳを含む。電源線ＶＢＵＳには、電源電圧規格内の複数の電源電圧から選択された１つの電源電圧が供給される。すなわち、電源線ＶＢＵＳには、複数の電源電圧が選択的に供給される。
【００２３】
電源線ＶＢＵＳには、一例としてホスト１０とＵＳＢデバイス２０間のパワーネゴシエーションに応じて、最大２０Ｖ、５Ａの電力が供給される。例えば、ホスト１０は、接続されるＵＳＢデバイス２０の要求に応じて、５Ｖ、１２Ｖ、２０Ｖの電源電圧のうち一つを選択して、電源線ＶＢＵＳを介してＵＳＢデバイス２０へ供給する。なお、ホスト１０は、規格上、５Ｖ〜２０Ｖの範囲で、５０ｍＶステップで電圧を設定することが可能である。
【００２４】
データ配線３５は、２以上の配線からなり、ホスト１０とＵＳＢデバイス２０間においてデータ通信を行う。データ配線３５は、例えば、ＵＳＢ２．０通信用のＤ＋／Ｄ−や、ＵＳＢ３．１通信用のＴＸ、ＲＸペア等である。
【００２５】
接地配線３６は１以上の配線からなり、接地線ＧＮＤを含む。
＜ａ３．給電システム１００の接続配線の構成＞
図３は、実施形態１に基づく給電システム１００の接続配線の構成について説明する図である。
【００２６】
図３を参照して、ホスト１０は、電源部３９と、電源部３９を制御するコントローラ５０と、抵抗Ｒｐと、スイッチ４３とを含む。
【００２７】
電源部３９は、検査電源回路４０と、切替回路４１と、電源回路４２とを含む。
ＵＳＢデバイス２０は、コントローラ７０と、抵抗Ｒｄとを含む。
【００２８】
ホスト１０と、ＵＳＢデバイス２０とはＣＣ線、電源線ＶＢＵＳ、接地線ＧＮＤでそれぞれ接続されている。なお、データ配線についてはここでは省略している。
【００２９】
ＵＳＢデバイス２０のコントローラ７０は、電源線ＶＢＵＳと電気的に接続され、ホスト１０からの電源供給を受けて動作する。
【００３０】
抵抗Ｒｄは、ＣＣ線と接地電圧との間に接続される。また、ＣＣ線と抵抗Ｒｄとの間の内部ノードは、コントローラ７０と接続される。コントローラ７０は、内部ノードの電圧レベルを検出してホスト１０との電気的な接続を検出する。
【００３１】
スイッチ４３は、電源部３９と電源線ＶＢＵＳとの間に設けられる。スイッチ４３は、コントローラ５０により制御される。スイッチ４３がコントローラ５０からの指示に従って、導通状態である場合にはホスト１０からＵＳＢデバイス２０への電源線ＶＢＵＳを介する電源供給が実行される。スイッチ４３がコントローラ５０からの指示に従って、非導通状態である場合にはホスト１０からＵＳＢデバイス２０への電源線ＶＢＵＳを介する電源供給が遮断される。
【００３２】
コントローラ５０は、電源部３９を制御する。具体的には、検査電源回路４０および電源回路４２に対して電圧の生成を指示する。
【００３３】
切替回路４１は、コントローラ５０の指示に従って検査電源回路４０および電源回路４２のうちの一方と電源線ＶＢＵＳとの接続を切り替える。
【００３４】
検査電源回路４０は、コントローラ５０からの指示に従って電源線ＶＢＵＳによる電圧の供給経路の状態を判断するために用いる電圧を生成する。
【００３５】
電源回路４２は、コントローラ５０からの指示に従ってＵＳＢデバイス２０を駆動するために必要な電圧を生成する。電源回路４２は、コントローラ５０からの指示に従って電圧レベルを可変に設定することが可能である。一例として、電源回路４２は、コントローラ５０からの指示に従って５Ｖ、１２Ｖ、２０Ｖの複数の電源電圧のうち一つを選択して生成する。
【００３６】
抵抗Ｒｐは、電圧（一例として５Ｖ）とＣＣ線との間に接続される。また、抵抗ＲｐとＣＣ線との間の内部ノードは、コントローラ５０と接続される。コントローラ５０は、内部ノードの電圧レベルを検出してＵＳＢデバイス２０との電気的な接続を検出する。
【００３７】
ＧＮＤ線は、接地電圧と接続される。
当該構成において、ホスト１０とＵＳＢデバイス２０とがＵＳＢケーブル３０を介して接続された場合について説明する。
【００３８】
ＣＣ線を介して抵抗Ｒｐ，Ｒｄとが接続される。これにより抵抗Ｒｐ，Ｒｄを介する電流経路が形成される。
【００３９】
コントローラ５０および６０は、抵抗Ｒｐ，Ｒｄの抵抗分割に基づいて、抵抗Ｒｐ，Ｒｄ間のＣＣ線の電圧レベルをそれぞれ検出する。
【００４０】
コントローラ５０，６０は、抵抗Ｒｐ，Ｒｄの抵抗分割に基づく所定電圧を検出することによりホスト１０とＵＳＢデバイスと２０とが接続された状態であることを検出する。
【００４１】
コントローラ５０は、ホスト１０とＵＳＢデバイスと２０とが接続された状態であることを検出した場合に、電圧の供給経路である電源線ＶＢＵＳに対して、その状態を判断する処理を実行する。具体的には、コントローラ５０は、検査電源回路４０に指示して検査電圧を電源線ＶＢＵＳに供給する。検査電圧は、電源回路４２で生成される電圧以下に設定されるものとする。また、検査電圧を通常に印加される電圧以下に設定することにより、短絡経路が生じた場合であっても加熱溶断等の危険を回避することが可能である。
【００４２】
＜ａ４．給電システム１００のコントローラ５０の構成＞
図４は、実施形態１に基づくコントローラ５０の機能構成について説明する図である。
【００４３】
図４を参照して、コントローラ５０は、電源制御回路５２と、異常検出回路５４と、異常状態通知回路５６とを含む。
【００４４】
電源制御回路５２は、電源部３９およびスイッチ４３を制御する。
電源制御回路５２は、検査電源回路４０および電源回路４２に電圧の生成を指示するとともに、切替回路４１に対して検査電源回路４０および電源回路４２のうちの一方と電源線ＶＢＵＳとの接続を切り替えるように指示する。なお、初期状態においては、検査電源回路４０がスイッチ４３を介して電源線ＶＢＵＳと接続されているものとする。また、電源制御回路５２は、スイッチ４３の導通／非導通を制御する。
【００４５】
異常検出回路５４は、電圧の供給経路の状態として正常か異常かを判断する。異常検出回路５４は、判断結果を電源制御回路５２に出力する。また、異常検出回路５４は、判断結果を異常状態通知回路５６に出力する。
【００４６】
異常状態通知回路５６は、異常検出回路５４の判断結果に基づいて異常状態である旨を通知する。具体的には、異常状態通知回路５６は、アラーム音あるいはＬＥＤで異常状態である旨を外部に報知する。異常状態通知回路５６は、アラーム音あるいはＬＥＤのみならず、図示しない表示器を用いて異常状態である旨を表示するようにしても良い。通信回路を用いて外部に報知するようにしても良い。
【００４７】
＜Ｂ．フロー＞
図５は、実施形態１に基づくホスト１０の制御について説明するフロー図である。
【００４８】
図５を参照して、ホスト１０は、ＵＳＢデバイスとの接続が検出されたかどうかを判断する（ステップＳ２）。具体的には、電源制御回路５２は、内部ノードの電圧レベルが所定電圧であるか否かを判断する。
【００４９】
次に、ホスト１０は、接続が検出されたと判断した場合（ステップＳ２においてＹＥＳ）には、検査電圧を印加する（ステップＳ４）。電源制御回路５２は、内部ノードの電圧レベルが所定電圧であると判断した場合にＵＳＢデバイス２０の接続が検出されたと判断する。電源制御回路５２は、ＵＳＢデバイス２０の接続が検出された場合に検査電源回路４０に検査電圧を生成するように指示する。そして、電源制御回路５２は、スイッチ４３に指示して導通状態に設定する。これにより、検査電源回路４０により生成された検査電圧が電源線ＶＢＵＳに対して印加される。なお、電源回路４２は、電源を供給していない。
【００５０】
次に、ホスト１０は、電流ｏｒ電圧の異常が有るかどうかを判断する（ステップＳ６）。異常検出回路５４は、電源線ＶＢＵＳを流れる電流あるいは供給される電圧に異常が有るかどうかを判断する。
【００５１】
例えば、電圧レベルが降下する場合あるいは所定電流以上の電流が流れる場合には、電源線ＶＢＵＳに異常が発生している（たとえば短絡状態）と判断することが可能である。異常検出回路５４は、電源制御回路５２に異常状態である旨を通知する。また、異常検出回路５４は、異常状態通知回路５６に異常状態である旨を通知する。
【００５２】
ステップＳ６において、ホスト１０は、電流ｏｒ電圧の異常が有ると判断した場合（ステップＳ６においてＹＥＳ）には、電源の供給を停止する（ステップＳ８）。電源制御回路５２は、スイッチ４３に指示してスイッチ４３を非導通状態に設定する。これに伴い電源線ＶＢＵＳへの電圧の供給が遮断される。
【００５３】
そして、ホスト１０は、異常状態で有る旨を通知する（ステップＳ１０）。異常状態通知回路５６は、異常状態を報知する。
【００５４】
そして、処理を終了する（エンド）。
一方、ステップＳ６において、ホスト１０は、電流ｏｒ電圧の異常がないと判断した場合（ステップＳ６においてＮＯ）には、電源を供給する（ステップＳ１２）。電源制御回路５２は、電源回路４２に指示する。電源回路４２は、指示に従って電源を生成する。また、電源制御回路５２は、切替回路４１に指示して電源回路４２とスイッチ４３とが電気的に接続されるように切り替える。これにより、電源回路４２で生成された電圧が電源線ＶＢＵＳに供給される。
【００５５】
そして、処理を終了する（エンド）。
実施形態１に基づく方式により、電源回路４２から電圧を供給する前に検査電圧を印加して電圧の供給経路の状態を判断することが可能である。供給経路の状態が異常であると判断された場合には、異常状態である旨が報知される。一方、供給経路の状態が異常でないと判断された場合には、通常の電圧が供給経路に供給される。
【００５６】
したがって、ＵＳＢデバイスへの給電に際して供給経路の安全性を検査した上で、安全であると判断された場合に電圧が供給されるため給電の安全性を高めることが可能である。
（変形例）
上記の実施形態１においては、電源部３９において、検査電源回路４０と電源回路４２とをそれぞれ独立に設ける構成について説明したが、電源回路４２がコントローラ５０からの指示に従って検査電圧を生成する構成とすることも可能である。この場合には、検査電源回路４０および切替回路４１を設ける必要がなく簡易な構成とすることが可能である。
（実施形態２）
上記の実施形態１においては、ケーブル３０に含まれる電源線ＶＢＵＳに異常が有るか否かを判断する方式について説明した。一方で、電源線ＶＢＵＳ以外にも異常が有るか否かを判断するようにしても良い。
【００５７】
＜ａ５．ＵＳＢケーブル３０Ａの構成＞
図６は、実施形態２に基づく給電システム１００に用いられるＵＳＢケーブル３０Ａの構成の一例を示す図である。
【００５８】
図６を参照して、ホスト１０＃と、ＵＳＢデバイス２０との間にＵＳＢケーブル３０Ａが設けられる。
【００５９】
ＵＳＢケーブル３０Ａは、電源線ＶＢＵＳ、ＣＣ線、電源線ＶＣＯＮＮ、接地線ＧＮＤを含む。
【００６０】
ＵＳＢケーブル３０Ａは、逆流防止用のダイオードＤ１，Ｄ２と、抵抗Ｒ１，Ｒ２と、ＩＤチップ３７とを含む。
【００６１】
電源線ＶＯＮＮは、ＵＳＢケーブル３０Ａ内に設けられた装置（デバイス）に対して電源供給するための電源線である。
【００６２】
本例においては、ＩＤチップ３７がＵＳＢケーブル３０Ａ内に設けられている場合が示されている。ＩＤチップ３７には、ケーブルがサポート可能な電流容量や性能、ベンダー認識情報等のケーブルの仕様情報が格納されている。ＩＤチップ３７は、ＵＳＢケーブル３０Ａの電源線ＶＣＯＮＮ、接地線ＧＮＤに接続されている。
【００６３】
ＵＳＢケーブル３０Ａとしては、ケーブルの仕様情報等を備えたＥマークケーブル（Electronically Marked Cable）が用いられる。
【００６４】
電源線ＶＣＯＮＮには、逆流防止用のダイオードＤ１，Ｄ２が設けられている。ダイオードＤ１のアノードがホスト１０＃側に接続されている。そして、カソードがＩＤチップ３７に接続されている。ダイオードＤ２のアノードは、ＵＳＢデバイス２０側に接続されている。そして、カソードは、ＩＤチップ３７に接続されている。
【００６５】
ホスト１０＃側の電源線ＶＣＯＮＮのダイオードＤ１のアノードとの間のノードは、抵抗Ｒ１を介して接地線ＧＮＤと接続されている。
【００６６】
ＵＳＢデバイス２０＃側の電源線ＶＣＯＮＮのダイオードＤ２のアノードとの間のノードは、抵抗Ｒ２を介して接地線ＧＮＤと接続されている。
【００６７】
また、ＩＤチップ３７は、ＣＣ線に接続されている。ＩＤチップ３７は、ＵＳＢケーブル３０Ａの電流容量をホスト１０＃へ通知する通知部である。ＩＤチップ３７に格納されたケーブルの仕様情報は、ベンダー定義メッセージ（Vendor Defined Message）として、シーケンスの開始を示すＳＯＰ’(Start of Packet Sequence Prime)パケットとともにＣＣ線を介してホスト１０＃に送信される。
【００６８】
ＳＯＰ’パケットは、ホスト１０＃で認識される。ＵＳＢケーブル３０Ａの特性は、ベンダー定義メッセージとしてホスト１０＃へ通知される。ホスト１０＃は、ケーブルの仕様情報に従い、ＵＳＢケーブル３０Ａのサポート可能な電流容量を参照して、ＵＳＢデバイス２０に対して必要な電力を供給する。
【００６９】
＜ａ６．給電システム１００の接続配線の構成＞
図７は、実施形態２に基づく給電システム１００の接続配線の構成について説明する図である。
【００７０】
図７を参照して、ホスト１０＃は、ホスト１０と比較して、電源部５９と、スイッチ６５とをさらに含む。電源部５９は、検査電源回路６２と、検査電源回路６２と、切替回路６１とを含む。
【００７１】
電源回路６０は、コントローラ５０からの指示に従ってＩＤチップ３７を駆動するために必要な電圧を生成する。
【００７２】
検査電源回路６２は、コントローラ５０からの指示に従って電源線ＶＣＯＮＮによる電圧の供給経路の状態を判断するために用いる電圧を生成する。
【００７３】
切替回路６１は、コントローラ５０の指示に従って検査電源回路６２および電源回路６０のうちの一方とスイッチ６５との接続を切り替える。
【００７４】
スイッチ６５は、ＣＣ線と、抵抗Ｒｐおよび電源部５９の一方との接続を切り替える。スイッチ６５は、初期状態においては、抵抗ＲｐとＣＣ線とを電気的に接続している。これによりＵＳＢデバイス２０の接続を検知する。接続の検知の方式は、実施形態１で説明したのと同様であるのでその詳細な説明については繰り返さない。ＵＳＢデバイス２０の接続を検知した後に、電源部５９とＣＣ線とを電気的に接続するように切り替える。
【００７５】
実施形態２に基づくホスト１０＃の制御についても、実施形態１と同様である。
具体的には、ホスト１０＃は、ＵＳＢデバイス２０の接続が検出されたかどうかを判断する（ステップＳ２）。電源制御回路５２は、内部ノードの電圧レベルが所定電圧であるか否かを判断する。
【００７６】
次に、ホスト１０＃は、ＵＳＢデバイス２０の接続が検出されたと判断した場合（ステップＳ２においてＹＥＳ）には、検査電圧を印加する（ステップＳ４）。電源制御回路５２は、内部ノードの電圧レベルが所定電圧であると判断した場合にＵＳＢデバイス２０の接続が検出されたと判断する。電源制御回路５２は、ＵＳＢデバイス２０の接続が検出された場合に検査電源回路４０に指示する。そして、電源制御回路５２は、スイッチ４３に指示して導通状態に設定する。これにより、検査電源回路４０により生成された検査電圧が電源線ＶＢＵＳに対して印加される。
【００７７】
また、電源制御回路５２は、ＵＳＢデバイス２０の接続が検出された場合に、検査電源回路６２に指示する。そして、電源制御回路５２は、スイッチ６５に指示して電源部５９とＣＣ線とを電気的に接続する。これにより、検査電源回路６２から検査電圧がＣＣ線に対して印加される。
【００７８】
次に、ホスト１０は、電流ｏｒ電圧の異常が有るかどうかを判断する（ステップＳ６）。異常検出回路５４は、電源線ＶＢＵＳを流れる電流あるいは供給される電圧に異常が有るかどうかを判断する。また、異常検出回路５４は、電源線ＶＯＮＮを流れる電流あるいは供給される電圧に異常が有るかどうかを判断する。
【００７９】
例えば、電圧レベルが降下する場合あるいは所定電流以上の電流が流れる場合には、電源線ＶＢＵＳあるいは電源線ＶＯＮＮに異常が発生している（たとえば短絡状態）と判断することが可能である。異常検出回路５４は、電源制御回路５２に異常状態である旨を通知する。また、異常検出回路５４は、異常状態通知回路５６に異常状態である旨を通知する。
【００８０】
ステップＳ６において、ホスト１０は、電流ｏｒ電圧の異常が有ると判断した場合（ステップＳ６においてＹＥＳ）には、電源の供給を停止する（ステップＳ８）。電源制御回路５２は、スイッチ４３に指示してスイッチ４３を非導通状態に設定する。電源制御回路５２は、電源部５９に指示して電源回路６０あるいは検査電源回路６２からの電源の供給を停止する。
【００８１】
そして、ホスト１０は、異常が有る旨を通知する（ステップＳ１０）。異常状態通知回路５６は、異常状態を報知する。
【００８２】
そして、処理を終了する（エンド）。
一方、ステップＳ６において、ホスト１０は、電流ｏｒ電圧の異常がないと判断した場合（ステップＳ６においてＮＯ）には、電源を供給する（ステップＳ１２）。電源制御回路５２は、電源回路４２に指示する。電源回路４２は、指示に従って電源を生成する。また、電源制御回路５２は、切替回路４１に指示して電源回路４２とスイッチ４３とが電気的に接続されるように切り替える。これにより、電源回路４２で生成された電圧が電源線ＶＢＵＳに供給される。また、電源制御回路５２は、電源回路６０に指示する。電源回路６０は、指示に従って電源を生成する。これにより、電源回路６０で生成された電圧が電源線ＶＯＮＮに供給される。
【００８３】
そして、処理を終了する（エンド）。
実施形態２に基づく方式により、電源回路４２から電圧を供給する前に検査電圧を印加して電圧の供給経路である電源線ＶＢＵＳの状態を判断することが可能である。また、電源回路６０から電圧を供給する前に検査電圧を印加して電圧の供給経路である電源線ＶＯＮＮの状態を判断することが可能である。供給経路の状態が異常であると判断された場合には、異常状態である旨が報知される。一方、供給経路の状態が異常でないと判断された場合には、通常の電圧が供給経路に供給される。
【００８４】
したがって、ＵＳＢデバイスへの給電に際して供給経路の安全性を検査した上で、安全であると判断された場合に電圧が供給されるため給電の安全性を高めることが可能である。
【００８５】
なお、上記の実施形態２においては、ＵＳＢケーブル内に１つのＩＤチップが設けられた構成について説明したが複数のＩＤチップ等が含まれる他のＵＳＢケーブル等についても同様に適用可能である。
【００８６】
＜他の実施形態＞
上記のＵＳＢデバイス２０は、ホスト１０からの電源電圧の供給を受ける構成について説明したが、ＵＳＢデバイス２０について、ホスト１０からの電圧を受けて、他の装置に電源電圧を供給する構成を採用することも可能である。
【００８７】
以上、本開示を実施形態に基づき具体的に説明したが、本開示は、実施形態に限定されるものではなく、その要旨を逸脱しない範囲で種々変更可能であることはいうまでもない。
【符号の説明】
【００８８】
１０  ホスト、１１，２１  コネクタ、２０  ＵＳＢデバイス、３０，３０Ａ，３０Ｂ  ＵＳＢケーブル、３１，３２  プラグ、３３  ポートコンフィギュレーション配線、３４  電源配線、３５  データ配線、３６  接地配線、３７  ＩＤチップ、３９，５９  電源部、４０，６２  検査電源回路、４１，６１  切替回路、４２，６０  電源回路、４３，６５  スイッチ、５０，７０  コントローラ、５２  電源制御回路、５４  異常検出回路、５６  異常状態通知回路、１００  給電システム。
【図１】
2017187933.tif 000003
【図２】
2017187933.tif 000004
【図３】
2017187933.tif 000005
【図４】
2017187933.tif 000006
【図５】
2017187933.tif 000007
【図６】
2017187933.tif 000008
【図７】
2017187933.tif 000009